(57)【要約】【課題】各枠の長手方向における端面間にシール用の隙間を容易に形成できる枠体角部構造を提供すること。【解決手段】枠体角部構造は、枠体と、上枠、下枠４０および縦枠６０Ａの内部に配置されたコーナーブロック７１とによって構成される。上枠、下枠４０および縦枠６０Ａの長手方向における端部２５Ａには、傾斜端面２７が形成されている。コーナーブロック７１は、第一差込片部７２と、第一差込片部７２に交差して延びた第二差込片部７３と、第一差込片部７２が縦枠６０Ａ内に差し込まれ、かつ第二差込片部７３が下枠４０内に差し込まれた状態で、各端部２５Ａに当たって各傾斜端面２７間に隙間Ｃを形成する当接面７４を有している。【選択図】図５
2018066154.tif 000002
【特許請求の範囲】
【請求項１】
縦枠および横枠を枠組みした枠体と、前記縦枠および前記横枠の内部に配置されたコーナーブロックとによって構成され、
前記縦枠および前記横枠の長手方向における端部は、前記縦枠および前記横枠の長手方向に対して傾斜して互いに対向する傾斜端面を有し、
前記コーナーブロックは、第一差込片部と、前記第一差込片部の長手方向に交差する方向に沿った第二差込片部と、前記第一差込片部が前記縦枠内に差し込まれ、かつ前記第二差込片部が前記横枠内に差し込まれた状態で、前記縦枠および前記横枠の長手方向における端部に当たって前記縦枠および前記横枠の傾斜端面間に隙間を形成する当り部を有している
ことを特徴とする枠体角部構造。
【請求項２】
請求項１に記載の枠体角部構造において、
前記第一差込片部は、前記縦枠の内面に当接する第一内側面および第一外側面を有し、
前記第二差込片部は、前記横枠の内面に当接する第二内側面および第二外側面を有し、
前記当り部は、前記第一内側面および前記第二内側面に連続した当接面によって構成され、
前記当接面は、前記第一差込片部および前記第二差込片部の長手方向に対して傾斜している
ことを特徴とする枠体角部構造。
【請求項３】
請求項２に記載の枠体角部構造において、
前記縦枠の長手方向に対する当該縦枠の傾斜端面の傾斜角度と前記横枠の長手方向に対する当該横枠の傾斜端面の傾斜角度とは、前記縦枠および前記横枠の長手方向の交差角度を半分に割った角度とされ、
前記当接面は、前記傾斜端面に沿った方向に直交して配置されている
ことを特徴とする枠体角部構造。
【請求項４】
請求項２または請求項３に記載の枠体角部構造において、
前記第一内側面および前記第二内側面には、前記縦枠および前記横枠の内面に当接する内突部がそれぞれ形成され、
前記第一内側面および前記第二内側面のうち前記内突部および前記当接面間に位置する部分は、前記縦枠および前記横枠の内面に対して間隔を隔てて配置されている
ことを特徴とする枠体角部構造。
【請求項５】
請求項２から請求項４のいずれか一項に記載の枠体角部構造において、
前記第一外側面および前記第二外側面には、前記縦枠および前記横枠の内面に当接する外突部がそれぞれ形成され、
前記外突部間に位置する部分には、前記縦枠および前記横枠の傾斜端面から離間した凹部が形成されている
ことを特徴とする枠体角部構造。
【発明の詳細な説明】
【技術分野】
【０００１】
本発明は、建物の外壁として用いられるカーテンウォールなどの枠体角部構造に関する。
【背景技術】
【０００２】
従来、上枠、下枠および左右の縦枠を枠組みして構成されるフレームと、フレームの内側に組み込まれたガラスパネルとで構成されたカーテンウォールが知られている（特許文献１参照）。
このカーテンウォールでは、上枠、下枠および左右の縦枠の長手方向端面が４５度の傾斜面となるように切断されており、各傾斜面同士を突合せ、かつＬ字状に形成されたコーナーブロックを枠内に挿入してボルト止めすることで、枠体角部構造が構成されている。
【先行技術文献】
【特許文献】
【０００３】
【特許文献１】特開２００２−３１７５１８号公報
【発明の概要】
【発明が解決しようとする課題】
【０００４】
ところで、前述した枠体角部構造において、上枠、下枠および左右の縦枠の各傾斜面同士の突合せ部分をシールする場合には、各傾斜面間にシールするための隙間を形成する必要がある。
しかし、前記隙間が形成されるように各枠同士を位置決めすることは容易ではなく手間を要する。例えば各枠同士の位置決め誤差によって前記隙間が潰れてしまった場合には、当該隙間に不定形シール材を充填することができず、また、前記隙間に介在させようとしたシート状の定形シール材が切れてしまうおそれがある。
【０００５】
本発明の目的は、各枠の長手方向における端面間にシール用の隙間を容易に形成できる枠体角部構造を提供することにある。
【課題を解決するための手段】
【０００６】
本発明の枠体角部構造は、縦枠および横枠を枠組みした枠体と、前記縦枠および前記横枠の内部に配置されたコーナーブロックとによって構成され、前記縦枠および前記横枠の長手方向における端部は、前記縦枠および前記横枠の長手方向に対して傾斜して互いに対向する傾斜端面を有し、前記コーナーブロックは、第一差込片部と、前記第一差込片部の長手方向に交差する方向に沿った第二差込片部と、前記第一差込片部が前記縦枠内に差し込まれ、かつ前記第二差込片部が前記横枠内に差し込まれた状態で、前記縦枠および前記横枠の長手方向における端部に当たって前記縦枠および前記横枠の傾斜端面間に隙間を形成する当り部を有していることを特徴とする。
【０００７】
本発明の枠体角部構造によれば、縦枠および横枠の傾斜端面間にコーナーブロックとは別体のスペーサ等を介在させることなく、コーナーブロックを縦枠および横枠の内部に配置するだけで、当り部が縦枠および横枠の長手方向における端部に当たって互いに対向する傾斜端面間にシール用の隙間を容易に形成できる。
【０００８】
本発明の枠体角部構造では、前記第一差込片部は、前記縦枠の内面に当接する第一内側面および第一外側面を有し、前記第二差込片部は、前記横枠の内面に当接する第二内側面および第二外側面を有し、前記当り部は、前記第一内側面および前記第二内側面に連続した当接面によって構成され、前記当接面は、前記第一差込片部および前記第二差込片部の長手方向に対して傾斜していることが好ましい。
このような構成によれば、コーナーブロックが縦枠および横枠内に配置された状態で、第一差込片部および第二差込片部の長手方向に対して傾斜した当接面が縦枠および横枠の長手方向における端部に当接する。このため、縦枠および横枠の傾斜端面間に介在される突部などをコーナーブロックに設けることなく、当該傾斜端面間に隙間を形成できる。また、当該隙間に前記突部やスペーサなどが介在されてシール材の充填や設置を邪魔することがない。
【０００９】
本発明の枠体角部構造では、前記縦枠の長手方向に対する当該縦枠の傾斜端面の傾斜角度と前記横枠の長手方向に対する当該横枠の傾斜端面の傾斜角度とは、前記縦枠および前記横枠の長手方向の交差角度を半分に割った角度とされ、前記当接面は、前記傾斜端面に沿った方向に直交して配置されていることが好ましい。
このような構成によれば、縦枠および横枠の長手方向における端部が当接面に当接することで、縦枠および横枠の長手方向における端部の当接面に対する当接角度が同じ角度となるように、縦枠および横枠の各傾斜端面同士の位置合わせを補助できる。
【００１０】
本発明の枠体角部構造では、前記第一内側面および前記第二内側面には、前記縦枠および前記横枠の内面に当接する内突部がそれぞれ形成され、前記第一内側面および前記第二内側面のうち前記内突部および前記当接面間に位置する部分は、前記縦枠および前記横枠の内面に対して間隔を隔てて配置されていることが好ましい。
このような構成によれば、前述した間隔がない場合と比べ、第一内側面および第二内側面に対する当接面の連続部分間の寸法を大きくできる。このため、当接面の面領域が広がり、縦枠および横枠の長手方向における端部同士の位置ズレの補正可能範囲を拡大できる。
【００１１】
本発明の枠体角部構造では、前記第一外側面および前記第二外側面には、前記縦枠および前記横枠の内面に当接する外突部がそれぞれ形成され、前記外突部間に位置する部分には、前記縦枠および前記横枠の傾斜端面から離間した凹部が形成されていることが好ましい。
このような構成によれば、前述した外突部が縦枠および横枠の内面に当接した状態で、コーナーブロックの凹部によって各傾斜端面間の隙間から充填されるシール材のシール溜りを形成できる。
【発明の効果】
【００１２】
本発明によれば、各枠の長手方向における端面間にシール充填用の隙間を容易に形成できる枠体角部構造を提供できる。
【図面の簡単な説明】
【００１３】
【図１】本発明の実施形態に係る枠体角部構造を備えるカーテンウォールユニットを示す外観姿図。
【図２】図１に示すＩＩ−ＩＩ線に沿った断面図。
【図３】図１に示すＩＩＩ−ＩＩＩ線に沿った断面図。
【図４】前記実施形態に係る枠体角部構造を示す斜視図。
【図５】前記実施形態に係る枠体角部構造を示す説明図。
【発明を実施するための形態】
【００１４】
［本実施形態の構成］
以下、本発明の実施形態を図面に基づいて説明する。
図１〜図３は、本実施形態に係る枠体角部構造を備えるカーテンウォールユニット１０を示している。カーテンウォールユニット１０は、上下方向に並設されることで、建物の外壁面であるカーテンウォールを構成し、室内外（屋内外）を仕切るものである。なお、建物は、梁と、梁で支持される床スラブとを備えており、床スラブの下部には吊り天井が設置されている。各カーテンウォールユニット１０は、床スラブにそれぞれ吊られて設置されている。
【００１５】
カーテンウォールユニット１０は、枠体２０と、パネル２１，２２とを備える段窓によって構成されている。
枠体２０は、アルミ製の押出形材によって形成された上枠３０（横枠）、下枠４０（横枠）、無目５０および左右の縦枠６０（６０Ａ，６０Ｂ）を枠組みして構成されている。上枠３０、下枠４０および左右の縦枠６０（６０Ａ，６０Ｂ）は、断面形状が同一の枠形材２５と、枠形材２５に係合する押縁２６とによって枠組みして構成されている。無目５０は、左右の縦枠６０Ａ，６０Ｂに取り付けられている。
【００１６】
上枠３０、無目５０および左右の縦枠６０Ａ，６０Ｂは、上側の開口２３を形成しており、下枠４０、無目５０および左右の縦枠６０Ａ，６０Ｂは、下側の開口２４を形成している。パネル２１は、単層ガラスパネルによって形成されて開口２３に配置されている。パネル２２は、複層ガラスパネルによって形成されて開口２４に配置されている。
【００１７】
上枠３０は、図２に示すように、枠形材２５と、押縁２６とによって構成されている。枠形材２５は、パネル対向片部２５１（室外見付け片部）と、各見込み片部２５２，２５３と、室内見付け片部２５４と、係合片部２５５とを有している。
【００１８】
パネル対向片部２５１は、枠形材２５の見付け方向に沿っており、その室外面には、パネル２１の室内面に当接するガスケット１１が装着された室外突部２５１Ａが形成されている。また、パネル対向片部２５１から室外側に向かって係合片部２５５が延出している。
【００１９】
各見込み片部２５２，２５３は、パネル対向片部２５１にそれぞれ連続している。上枠３０において、内側見込み片部２５２は、外側見込み片部２５３に対して下方に位置している。内側見込み片部２５２の室内側部分には、耐火パネル１５の上縁部が取り付けられている。外側見込み片部２５３には、水密材１２および気密材１３がそれぞれ装着された装着部２５３Ａ，２５３Ｂが形成されている。水密材１２は、気密材１３よりも室外側との等圧空間を形成するための間隔を隔てて室外側に位置している。
【００２０】
室内見付け片部２５４は、各見込み片部２５２，２５３に連続している。各見込み片部２５２，２５３には、仕切り片部２５６，２５７が連続しており、この仕切り片部２５６，２５７によって枠形材２５内に三つのホロー２８Ａ，２８Ｂ，２８Ｃが形成されている。ホロー２８Ｂよりも室外側に位置するホロー２８Ａと、ホロー２８Ｂよりも室内側に位置するホロー２８Ｃには、後述するコーナーブロック７１が配置されている。
【００２１】
上枠３０の外側見込み片部２５３のうち装着部２５３Ａ，２５３Ｂ間に位置する部分には、前述した等圧空間に浸入した水を排水するための排水口３１が形成されている。この排水口３１から排水された水は、上枠３０および左右の縦枠６０Ａ，６０Ｂのホロー２８Ｂを通って下枠４０の排水口４３から排水される。
【００２２】
ここで、水密材１２は、ヒレ部を有して形成され、装着部２５３Ａに装着されており、気密材１３は、装着部２５３Ａよりも室内側に位置した装着部２５３Ｂに装着されている。なお、装着部２５３Ａ，２５３Ｂ間には、嵌合凸部材（図示省略）がはめ込まれている。
【００２３】
押縁２６は、断面略Ｌ字形状に形成されており、係合片部２５５に係合されている。この押縁２６は、パネル２１の室外面に当接するガスケット１７を介して当該パネル２１の室外面を押えている。
【００２４】
下枠４０は、図２に示すように、前述した枠形材２５および押縁２６によって構成されており、上枠３０に対して上下逆向きに配置されている。下枠４０のパネル対向片部２５１に形成された室外突部２５１Ａには、パネル２２の室内面に当接するガスケット１８が装着されている。下枠４０の押縁２６に装着されたガスケット１７は、パネル２２の室外面に当接している。なお、下枠４０には排水口３１は形成されていない。
【００２５】
下枠４０の装着部２５３Ａ，２５３Ｂ間には、上枠３０の嵌合凸部材に嵌合した嵌合凹部材（図示省略）がはめ込まれている。
下枠４０の水密材１２のヒレ部は、上枠３０の水密材１２のヒレ部に当接しており、下枠４０の気密材１３は、上枠３０の気密材１３に当接しており、これら水密材１２および気密材１３間に外部空間と等圧とされる等圧空間が形成されている。
下枠４０の外側見込み片部２５３には、装着部２５３Ａよりも室内側部分と室外側部分とに通気口４１，４２が形成されている。また、下枠４０の外側見込み片部２５３の両端部側には、下枠４０の長手方向に沿って通気口４１と並んだ排水口４３が形成されており、各ホロー２８Ｂを通る水は、この排水口４３から排水される。
【００２６】
縦枠６０Ａ，６０Ｂは、図３に示すように、前述した枠形材２５および押縁２６によってそれぞれ構成されており、互いに左右逆向きに配置されている。縦枠６０Ａ，６０Ｂは、無目５０よりも上側部分でパネル２１を保持しており、無目５０よりも下側部分でパネル２２を保持している。なお、縦枠６０Ａ，６０Ｂには、排水口３１，４３および通気口４１，４２は形成されていない。
【００２７】
図１において、上枠３０の左端部および縦枠６０Ａの上端部によって左上側のコーナー部７０Ａ（角部）が形成され、上枠３０の右端部および縦枠６０Ｂの上端部によって右上側のコーナー部７０Ｂ（角部）が形成され、下枠４０の左端部および縦枠６０Ａの下端部によって左下側のコーナー部７０Ｃ（角部）が形成され、下枠４０の右端部および縦枠６０Ｂの下端部によって右下側のコーナー部７０Ｄ（角部）が形成されている。
各コーナー部７０（７０Ａ〜７０Ｄ）の構造（枠体角部構造）は、図４，５に示すように概略同様に構成されているので、左下のコーナー部７０Ｃについて説明し、他のコーナー部７０Ａ，７０Ｂ,７０Ｄについての説明は省略する。なお、図４（Ａ）はコーナー部７０Ｃを示す斜視図であり、図４（Ｂ）は縦枠６０Ａを外した状態の斜視図であり、図５は縦枠６０Ａおよび下枠４０の内部にあるコーナーブロック７１を示す説明図である。
【００２８】
図５に示すように、各枠形材２５の長手方向における端部２５Ａには、当該各枠形材２５の長手方向に対して４５度の角度で切断された傾斜端面２７が形成されている。縦枠６０Ａの長手方向と下枠４０の長手方向との交差角度は９０度であり、傾斜端面２７は、前記交差角度を半分に割った角度に設定されている。
図５には、縦枠６０Ａと下枠４０の端部２５Ａが示されており、これらの傾斜端面２７同士がシール材充填用の隙間Ｃを隔てて対向して配置されている。
この隙間Ｃは、コーナー部７０Ｃの内部に配置されたコーナーブロック７１（７１Ａ，７１Ｂ）によって形成されている。図４に示すように、コーナーブロック７１Ａは、ホロー２８Ａに配置されており、コーナーブロック７１Ｂは、ホロー２８Ｃに配置されている。
【００２９】
コーナーブロック７１Ａは、図４，５に示すように、第一差込片部７２と、第一差込片部７２の長手方向に交差する方向に沿った第二差込片部７３と、第一差込片部７２および第二差込片部７３の交差部分に形成された当り部を構成する当接面７４とを有している。
【００３０】
第一差込片部７２は、縦枠６０Ａの端部２５Ａからホロー２８Ａに差し込まれており、縦枠６０Ａの外側見込み片部２５３にボルト１６によってボルト止めされている。
第一差込片部７２は、縦枠６０Ａの内側見込み片部２５２の内面に当接する第一内側面７２１と、縦枠６０Ａの外側見込み片部２５３の内面に当接する第一外側面７２２と、第一内側面７２１および第一外側面７２２に連続した先端面７２３とを有している。
また、第一差込片部７２は、上下方向に沿って延びているとともに、内部が肉抜きされて中空とされている。先端面７２３は、その第一外側面７２２に対する連続部分が第一内側面７２１に対する連続部分よりも上方に位置するように第一差込片部７２の長手方向に対して傾斜している。
【００３１】
第一内側面７２１には、縦枠６０Ａの内側見込み片部２５２の内面に当接する内突部７２１Ａが上下方向に沿って複数形成されている。複数の内突部７２１Ａのうち最下部に位置する内突部７２１Ａと当接面７４との間に位置する第一内側面７２１の部分は、縦枠６０Ａの内側見込み片部２５２の内面に対して間隔を隔てて配置されている。
【００３２】
第一外側面７２２は、縦枠６０Ａの外側見込み片部２５３の内面に当接する外突部７２２Ａが上下方向に沿って複数形成されている。
【００３３】
第二差込片部７３は、下枠４０の端部２５Ａからホロー２８Ａに差し込まれており、下枠４０の外側見込み片部２５３にボルト１６によってボルト止めされている。
第二差込片部７３は、下枠４０の内側見込み片部２５２の内面に当接する第二内側面７３１と、下枠４０の外側見込み片部２５３の内面に当接する第二外側面７３２と、第二内側面７３１および第二外側面７３２に連続した先端面７３３とを有している。
また、第二差込片部７３は、左右方向に沿って延びているとともに、内部が肉抜きされて中空とされている。先端面７３３は、その第二外側面７３２に対する連続部分が第二内側面７３１に対する連続部分よりも図５において右側に位置するように、第二差込片部７３の長手方向に対して傾斜している。
【００３４】
第二内側面７３１には、下枠４０の内側見込み片部２５２の内面に当接する内突部７３１Ａが左右方向に沿って複数形成されている。複数の内突部７３１Ａのうち図５において最も左側に位置する内突部７３１Ａと当接面７４との間に位置する第二内側面７３１の部分は、下枠４０の内側見込み片部２５２の内面に対して間隔を隔てて配置されている。
【００３５】
第二外側面７３２は、下枠４０の外側見込み片部２５３の内面に当接する外突部７３２Ａが左右方向に沿って複数形成されている。
【００３６】
コーナーブロック７１Ａのうち外突部７２２Ａ，７３２Ａ間に位置する部分には、縦枠６０Ａおよび下枠４０の外側見込み片部２５３における各傾斜端面２７から離間して位置する凹部７５が形成されている。
【００３７】
当接面７４は、前述した第一内側面７２１および第二内側面７３１に連続している。当接面７４は、第一差込片部７２および第二差込片部７３の長手方向に対して等しい傾斜角度をもって傾斜しており、縦枠６０Ａおよび下枠４０の傾斜端面２７に沿った方向に直交して配置されている。
【００３８】
コーナーブロック７１Ｂは、コーナーブロック７１Ａと同様に形成されてホロー２８Ｃに配置されている。
【００３９】
コーナーブロック７１Ａ，７１Ｂの当接面７４は、第一差込片部７２が縦枠６０Ａ内に差し込まれ、かつ第二差込片部７３が下枠４０内に差し込まれた状態で、縦枠６０Ａおよび下枠４０の端部２５Ａ、本実施形態では、傾斜端面２７の鋭角エッジに当接している。このように当接面７４が端部２５Ａに当接することによって、縦枠６０Ａおよび下枠４０の相互位置が位置決めされ、各内側見込み片部２５２における傾斜端面２７間に隙間Ｃが形成されて保たれている。
また、コーナーブロック７１Ａ，７１Ｂの外突部７２２Ａ，７３２Ａが各外側見込み片部２５３の内面に当接することで、当該各外側見込み片部２５３における傾斜端面２７間に隙間Ｃが形成されて保たれている。
さらに、コーナーブロック７１Ａは縦枠６０Ａおよび下枠４０のパネル対向片部２５１に隣接して配置されているので、これらパネル対向片部２５１の傾斜端面２７にも隙間Ｃが形成されている。一方、コーナーブロック７１Ｂは、縦枠６０Ａおよび下枠４０の室内見付け片部２５４に隣接して配置されているので、これら室内見付け片部２５４間の傾斜端面２７にも隙間Ｃが形成されている。
【００４０】
このように縦枠６０Ａおよび下枠４０の傾斜端面２７の全周にわたって隙間Ｃが形成されているので、この隙間Ｃにシール材を充填することでコーナー部７０Ｃの全周をシールできる。なお、各外側見込み片部２５３間の隙間Ｃに充填されたシール材は、凹部７５に留まる。
【００４１】
［本実施形態の効果］
（１）本実施形態では、カーテンウォールユニット１０の枠体角部構造は、縦枠６０Ａ，６０Ｂおよび横枠（上枠３０、下枠４０）を枠組みした枠体２０と、上枠３０、下枠４０および縦枠６０Ａ，６０Ｂの内部に配置されたコーナーブロック７１とによって構成され、上枠３０、下枠４０および縦枠６０Ａ，６０Ｂの長手方向における端部２５Ａは、上枠３０、下枠４０および縦枠６０Ａ，６０Ｂの長手方向に対して傾斜して互いに対向する傾斜端面２７を有し、コーナーブロック７１は、第一差込片部７２と、第一差込片部７２の長手方向に交差する方向に沿った第二差込片部７３と、第一差込片部７２が縦枠６０Ａ（６０Ｂ）内に差し込まれ、かつ第二差込片部７３が上枠３０（下枠４０）内に差し込まれた状態で、各端部２５Ａに当たって各傾斜端面２７間に隙間Ｃを形成する当接面７４を有していることを特徴とする。
上記構成を有するため、上枠３０および縦枠６０Ａ，６０Ｂの傾斜端面２７間や下枠４０および縦枠６０Ａ，６０Ｂの傾斜端面間にコーナーブロック７１とは別体のスペーサ等を介在させる必要がなく、コーナーブロック７１を上枠３０、下枠４０および左右の縦枠６０Ａ，６０Ｂの内部に配置するだけで、当接面７４が各端部２５Ａに当たって互いに対向する傾斜端面２７間にシール材用の隙間Ｃを容易に形成できる。
さらに、本実施形態では、以下の各効果を発揮できる。
（２）前記実施形態では、第一差込片部７２は、縦枠６０Ａ（６０Ｂ）の内面に当接する第一内側面７２１および第一外側面７２２を有し、第二差込片部７３は、上枠３０（下枠４０）の内面に当接する第二内側面７３１および第二外側面７３２を有し、当接面７４は、第一内側面７２１および第二内側面７３１に連続した当接面７４によって構成され、当接面７４は、第一差込片部７２および第二差込片部７３の長手方向に対して傾斜している。
このため、コーナーブロック７１が枠体２０内に配置された状態で、第一差込片部７２および第二差込片部７３の長手方向に対して傾斜した当接面７４が各端部２５Ａに当接する。このため、各傾斜端面２７間に介在される突部などをコーナーブロック７１に設けることなく、当該傾斜端面２７間に隙間Ｃを形成できる。また、当該隙間Ｃに前記突部やスペーサなどが介在されてシール材の充填や設置を邪魔することがない。
（３）前記実施形態では、縦枠６０Ａ（６０Ｂ）の長手方向に対する傾斜端面２７の傾斜角度と上枠３０（下枠４０）の長手方向に対する傾斜端面２７の傾斜角度とは、縦枠６０Ａ（６０Ｂ）および上枠３０（下枠４０）の長手方向の交差角度を半分に割った角度とされ、当接面７４は、傾斜端面２７に沿った方向に直交して配置されている。
このため、各端部２５Ａが当接面７４に当接することで、各端部２５Ａの当接面７４に対する当接角度が同じ角度となるように、各傾斜端面２７同士の位置合わせを補助できる。
（４）前記実施形態では、第一内側面７２１および第二内側面７３１には、縦枠６０Ａ（６０Ｂ）および上枠３０（下枠４０）の内面に当接する内突部７２１Ａ，７３１Ａがそれぞれ形成され、第一内側面７２１および第二内側面７３１のうち内突部７２１Ａ，７３１Ａおよび当接面７４間に位置する部分は、縦枠６０Ａ（６０Ｂ）および上枠３０（下枠４０）の内面に対して間隔を隔てて配置されている。
このため、前述した間隔がない場合と比べ、第一内側面７２１および第二内側面７３１に対する当接面７４の連続部分間の寸法を大きくできる。これにより、当接面７４の面領域が広がり、各端部２５Ａ同士の位置ズレの補正可能範囲を拡大できる。
（５）前記実施形態では、第一外側面７２２および第二外側面７３２には、縦枠６０Ａ（６０Ｂ）および上枠３０（下枠４０）の内面に当接する外突部７２２Ａ，７３２Ａがそれぞれ形成され、外突部７２２Ａ，７３２Ａ間に位置する部分には、各傾斜端面２７から離間した凹部７５が形成されている。
このため、前述した外突部７２２Ａ，７３２Ａが縦枠６０Ａ（６０Ｂ）および上枠３０（下枠４０）の内面に当接した状態で、コーナーブロック７１の凹部７５によって各傾斜端面２７間の隙間Ｃから充填されるシール材のシール溜りを形成できる。
【００４２】
［変形例］
本発明は、以上の実施形態で説明した構成のものに限定されず、本発明の目的を達成できる範囲での変形例は、本発明に含まれる。
例えば、前記実施形態では、当接面７４は縦枠６０Ａ（６０Ｂ）および上枠３０（下枠４０）の長手方向に対して等しい傾斜角度をもっているが、これに限られず、互いに異なる傾斜角度をもっていてもよい。
【００４３】
前記実施形態では、コーナーブロック７１に形成した当接面７４によって傾斜端面２７間に隙間Ｃを形成する当り部を構成しているが、これに限られず、例えば、傾斜端面２７間に介在される突部を前記当り部としてコーナーブロック７１に形成してもよい。
【００４４】
前記実施形態では、第一差込片部７２および第二差込片部７３は、肉抜きされて中空に形成されているが、肉抜きされずに中実とされてもよい。
また、第一内側面７２１の内突部７２１Ａおよび当接面７４間の部分と第二内側面７３１の内突部７３１Ａおよび当接面７４間の部分とは、縦枠６０Ａ（６０Ｂ）および上枠３０（下枠４０）の内面に対して間隔を隔てて配置されているが、これに限られず、間隔を隔てずに縦枠６０Ａ（６０Ｂ）および上枠３０（下枠４０）の内面に当接してもよい。
さらに、内突部７２１Ａ，７３１Ａや外突部７２２Ａ，７３２Ａの構成を省略して、第一内側面７２１および第一外側面７２２の全面が縦枠６０（６０Ｂ）の内面に当接し、第二内側面７３１および第二外側面７３２の全面が上枠３０（下枠４０）の内面に当接してもよい。
【００４５】
前記実施形態では、外突部７２２Ａ，７３２Ａ間に凹部７５が形成されているが、この構成を省略してもよい。
【００４６】
前記実施形態では、前述した枠体角部構造が構成されるものとしてカーテンウォールユニット１０を説明したが、このほか、ノックダウン式のカーテンウォールや窓などの建具に構成されてもよい。
【符号の説明】
【００４７】
１０…カーテンウォールユニット、１１，１７，１８…ガスケット、１２…水密材、１３…気密材、１５…耐火パネル、１６…ボルト、２０…枠体、２１，２２…パネル、２３，２４…開口、２５…枠形材、２５Ａ…端部、２６…押縁、２７…傾斜端面、２８Ａ，２８Ｂ，２８Ｃ…ホロー、３０…上枠、３１，４３…排水口、４０…下枠、４１，４２…通気口、５０…無目、６０（６０Ａ，６０Ｂ）…縦枠、７０（７０Ａ〜７０Ｄ）…コーナー部、７１（７１Ａ，７１Ｂ）…コーナーブロック、７２…第一差込片部、７３…第二差込片部、７４…当接面、７５…凹部、２５１…パネル対向片部、２５１Ａ…室外突部、２５２…内側見込み片部、２５３…外側見込み片部、２５３Ａ，２５３Ｂ…装着部、２５４…室内見付け片部、２５５…係合片部、２５６，２５７…仕切り片部、７２１…第一内側面、７２１Ａ，７３１Ａ…内突部、７２２…第一外側面、７２２Ａ，７３２Ａ…外突部、７２３，７３３…先端面、７３１…第二内側面、７３２…第二外側面、Ｃ…隙間。
【図１】
2018066154.tif 000003
【図２】
2018066154.tif 000004
【図３】
2018066154.tif 000005
【図４】
2018066154.tif 000006
【図５】
2018066154.tif 000007